(57)【要約】      （修正有）【課題】怪我の防止ができて、安全なブロック体とそれを用いた階段を提供する。【解決手段】本怪我防止安全ブロック体１０は、外形が立方体及び直方体を含む六面体形状を有するコンクリート製、レンガ製を含む建築資材用のブロック体であって、全ての角部を含む全体が型成形により成形されているものにおいて、ブロック体１０の各隣接する２面が交わる角部１１ｂ及び各隣接する３面が交わる角部１１ａについて、それら角部のうち少なくとも１つ以上の角部に、Ｃ面取り若しくはＲ面取りＲａ、Ｒｂを施してある。また本階段は、怪我防止安全ブロック体１０を複数個用い、その複数個を組み合わせてなる。【選択図】図１
0003175550.tif 000002
【実用新案登録請求の範囲】
【請求項１】
外形が立方体及び直方体を含む六面体形状を有するコンクリート製、レンガ製を含む建築資材用のブロック体であって、全ての角部を含む全体が型成形により成形されているものにおいて、前記ブロック体の各隣接する２面が交わる角部及び各隣接する３面が交わる角部について、それら角部のうち少なくとも１つ以上の角部に、Ｃ面取り若しくはＲ面取りを施してあることを特徴とする怪我防止安全ブロック体。
【請求項２】
全ての角部にＣ面取り若しくはＲ面取りを施してあるコンクリート製若しくはレンガ製のブロック体であることを特徴とする請求項１に記載の怪我防止安全ブロック体。
【請求項３】
３面が交わる全ての角部にＣ面取り若しくはＲ面取りを施してあるコンクリート製若しくはレンガ製のブロック体であることを特徴とする請求項１に記載の怪我防止安全ブロック体。
【請求項４】
２面が交わる全ての角部にＣ面取り若しくはＲ面取りを施してなるコンクリート製若しくはレンガ製のブロック体であることを特徴とする請求項１に記載の怪我防止安全ブロック体。
【請求項５】
２面が交わる１２本の角部のうちの１乃至複数本の角部にＣ面取り若しくはＲ面取りを施し、残りの角部には面取りを施していないコンクリート製若しくはレンガ製のブロック体であることを特徴とする請求項１に記載の怪我防止安全ブロック体。
【請求項６】
１乃至複数の空洞が貫通して設けられていることを特徴とする請求項１〜５の何れかに記載の怪我防止安全ブロック体。
【請求項７】
縦寸法が１９０ｍｍ、横寸法が３９０ｍｍ、厚みが８０ｍｍ、１００ｍｍ、１２０ｍｍ、１６０ｍｍの４種類あるブロック体に対して１０ｍｍのＣ面取り若しくはＲ面取りを施してある請求項１〜６の何れかに記載の怪我防止安全ブロック体。
【請求項８】
請求項１〜７の何れかに記載の怪我防止安全ブロック体を複数個用い、複数個を組み合わせてなる階段。
【考案の詳細な説明】
【技術分野】
【０００１】
本考案は怪我防止を図ることが出来る安全なブロック体、即ち怪我防止安全ブロック体と、該ブロック体を組み合わせてなる階段に関する。
【背景技術】
【０００２】
外観が立方体形状や直方体形状をしたコンクリート製のブロック体は、建築資材としてよく用いられる。例えばコンクリート製のブロック体を複数個、セメント等を用いて結合しながら積み上げることで塀を形成することができる。またブロック体を複数個用いて、これを階段状に組み付けて結合することで、階段を形成することができる。
このようにして前記ブロック体は建築資材の１つとして広く用いられている。
ところが前記ブロック体は、そのコンクリート等の剛性の材料がむき出し状態であり、しかも角が付いたままのものがほとんどである。
このため、階段等で人が転倒等した際、手や足等をブロック体の角部に打ち付けることで怪我をする問題があった。
前記ブロック体の角部による問題を解消する方法として、階段等の構造物を積み重ねて作製した後に、その構造物の角部をグラインダー等の器具を用いて削り取ることも考えられる。しかしコンクリート等を削り取る作業を行うことは、騒音上の問題、粉塵の発生、作業コスト等の面において難がある。
特開２０００−２５７０１１号公報（特許文献１）には怪我の心配の少ないアスファルト舗装材が開示されている。
特表２００２−５２９６２２号公報（特許文献２）には、建築用ブロックを接合する方法及び接合後手段が開示されている。
特開２００３−２７４０８号公報（特許文献３）にはインターロッキングブロックが開示されている。
【先行技術文献】
【特許文献】
【０００３】
【特許文献１】特開２０００−２５７０１１号公報
【特許文献２】特表２００２−５２９６２２号公報
【特許文献３】特開２００３−２７４０８号公報
【考案の概要】
【考案が解決しようとする課題】
【０００４】
上記特許文献１に開示のアスファルト舗装材は、木製チップを混入していることで怪我の心配を少なくしているものの、角が尖った直方体からなるブロックであるので、やはり安全性の問題が残る。またこれをコンクリートで製造した場合には、より安全性の点で問題がある。
上記特許文献２に開示の建築用ブロックは角が尖った直方のブロックであり、角に手や足を打ち付けると怪我をする問題が残る。
上記特許文献３のインターロッキングブロックは、やはり角が尖った直方体のブロックで、怪我の問題がある。
【０００５】
そこで本考案は上記従来技術の問題を解消し、怪我の防止ができて、安全なブロック体とそれを用いた階段の提供を課題とする。
【課題を解決するための手段】
【０００６】
本考案の怪我防止安全ブロック体は、外形が立方体及び直方体を含む六面体形状を有するコンクリート製、レンガ製を含む建築資材用のブロック体であって、全ての角部を含む全体が型成形により成形されているものにおいて、前記ブロック体の各隣接する２面が交わる角部及び各隣接する３面が交わる角部について、それら角部のうち少なくとも１つ以上の角部に、Ｃ面取り若しくはＲ面取りを施してあることを第１の特徴としている。
また本考案の怪我防止安全ブロック体は、上記第１の特徴に加えて、全ての角部にＣ面取り若しくはＲ面取りを施してあるコンクリート製若しくはレンガ製のブロック体であることを第２の特徴としている。
また本考案の怪我防止安全ブロック体は、上記第１の特徴に加えて、３面が交わる全ての角部にＣ面取り若しくはＲ面取りを施してあるコンクリート製若しくはレンガ製のブロック体であることを第３の特徴としている。
また本考案の怪我防止安全ブロック体は、上記第１の特徴に加えて、２面が交わる全ての角部にＣ面取り若しくはＲ面取りを施してなるコンクリート製若しくはレンガ製のブロック体であることを第４の特徴としている。
また本考案の怪我防止安全ブロック体は、上記第１の特徴に加えて、２面が交わる１２本の角部のうちの１乃至複数本の角部にＣ面取り若しくはＲ面取りを施し、残りの角部には面取りを施していないコンクリート製若しくはレンガ製のブロック体であることを第５の特徴としている。
また本考案の怪我防止安全ブロック体は、上記第１〜第５の何れかの特徴に加えて、１乃至複数の空洞が貫通して設けられていることを第６の特徴としている。
また本考案の怪我防止安全ブロック体は、上記第１〜第６の何れかの特徴に加えて、縦寸法が１９０ｍｍ、横寸法が３９０ｍｍ、厚みが８０ｍｍ、１００ｍｍ、１２０ｍｍ、１６０ｍｍの４種類あるブロック体に対して１０ｍｍのＣ面取り若しくはＲ面取りを施してあることを第７の特徴としている。
また本考案の階段は、上記第１〜第７の何れかの特徴の怪我防止安全ブロック体を複数個用い、複数個を組み合わせてなる階段であることを第８の特徴としている。
【考案の効果】
【０００７】
請求項１に記載の怪我防止安全ブロック体によれば、ブロック体の各隣接する２面が交わる角部及び各隣接する３面が交わる角部について、それら角部のうち少なくとも１つ以上の角部に、Ｃ面取り若しくはＲ面取りを施してあるので、ブロック体の２面が交わる角部や３面が交わる角部に手や足等、体の一部をぶつけた場合においても、大きな怪我をするのを防止することができ、安全性を確保できる。
しかも、全ての角部を含むブロック体の全体が型成形により成形されているので、角部を成形後に削りとる作業による作業騒音、粉塵の発生、作業コストの増加の問題も生じることがない。
【０００８】
請求項２に記載の怪我防止安全ブロック体によれば、上記請求項１に記載の構成による作用効果に加えて、全ての角部にＣ面取り若しくはＲ面取りを施してあるコンクリート製若しくはレンガ製のブロック体であるので、
ブロック体をどのように積み重ねても、得られる構造体の全ての縁が確実に面取り状態となるので、積み重ね作業に気を使うことがなく、且つ積み重ねによる構成体の角部の安全性が確実に確保できる。
【０００９】
請求項３に記載の怪我防止安全ブロック体によれば、上記請求項１に記載の構成による作用効果に加えて、３面が交わる全ての角部にＣ面取り若しくはＲ面取りを施してあるコンクリート製若しくはレンガ製のブロック体であるので、
ブロック体をどのように積み重ねても、得られる構成体の３面が交差する角部、即ち点状に尖るような角部を、全て確実に面取り状態とすることができるので、危険な尖った角部による大きな怪我を確実に防止することができる。
【００１０】
請求項４に記載の怪我防止安全ブロック体によれば、上記請求項１に記載の構成による作用効果に加えて、２面が交わる全ての角部にＣ面取り若しくはＲ面取りを施してなるコンクリート製若しくはレンガ製のブロック体であるので、
ブロック体をどのように積み重ねても、得られる構成体の２面が交差する角部を全て確実に面取り状態とすることができる。また３面が交差する角部よりも緩慢な尖り方となり、角部による怪我を有効に防止することができる。
【００１１】
請求項５に記載の怪我防止安全ブロック体によれば、上記請求項１に記載の構成による作用効果に加えて、２面が交わる１２本の角部のうちの１乃至複数本の角部にＣ面取り若しくはＲ面取りを施し、残りの角部には面取りを施していないコンクリート製若しくはレンガ製のブロック体であるので、
ブロック体を積み重ねて得られる構成体のうち、縁部に配置されるブロック体にのみ、そのような面取りのあるブロック体を用いることで、縁部のみに面取りのある安全なブロック体の積み重ね構成体を得ることができる。そしてブロック体を積み重ねて得られる構成体のうち、縁部以外の場所には面取りのないブロック体を配することで、面取り痕跡のないフラットな平面を持つブロック体の積み重ね構成体を得ることができる。
【００１２】
請求項６に記載の怪我防止安全ブロック体によれば、上記請求項１〜５の何れかに記載の構成による作用効果に加えて、１乃至複数の空洞が貫通して設けられているので、
ブロック体の重量を軽くすることができると共に、使用原料を減らすことができる。
【００１３】
請求項７に記載の怪我防止安全ブロック体によれば、上記請求項１〜６の何れかに記載の構成による作用効果に加えて、縦寸法が１９０ｍｍ、横寸法が３９０ｍｍ、厚みが８０ｍｍ、１００ｍｍ、１２０ｍｍ、１６０ｍｍの４種類あるブロック体に対して１０ｍｍのＣ面取り若しくはＲ面取りを施してあるので、
寸法や重さを人的作業の行い易いブロック体とすることができると共に、面取り寸法を１０ｍｍとすることで、一番寸法の小さい厚みに対しても面取り寸法を十分に小さくすることができ、よってセメント等による積み重ね接合にも十分な接合面積を確保することができる。また１０ｍｍの面取り寸法とすることで、角部の尖り状態を怪我の抑制にも十分効果のある状態とすることができる。
【００１４】
請求項８に記載の階段によれば、請求項１〜７の何れかに記載の怪我防止安全ブロック体を複数個用い、複数個を組み合わせてなるので、
尖った角部のない、怪我を防止できる安全な階段を提供することができる。
【図面の簡単な説明】
【００１５】
【図１】本考案の怪我防止安全ブロック体の実施形態を示し、（Ａ）は平面図、（Ｂ）は正面図、（Ｃ）は右側面図である。
【図２】本考案の怪我防止安全ブロック体の他の実施形態を示し、（Ａ）は平面図、（Ｂ）は正面図、（Ｃ）は右側面図である。
【図３】本考案の階段の実施形態を示す斜視図である。
【考案を実施するための形態】
【００１６】
以下の図面を参照して、本考案の怪我防止安全ブロック体とそれを用いた階段を説明し、本考案の理解に供する。しかし、以下の説明は本考案の実用新案登録請求の範囲に記載の考案を限定するものではない。
【００１７】
先ず図１を参照して、本考案に係る怪我防止安全ブロック体１０は、外形が直方体形状からなる。即ち、図１の（Ｂ）の正面図に示すように、正面形状が長径Ｘと短径Ｙとからなる長方形形状をなし、また図１の（Ａ）の平面図及び（Ｃ）の右側面図に示すような厚みＺを有し、各寸法Ｘ、Ｙ、Ｚの寸法がＸ＞Ｙ＞Ｚとなっている。
怪我防止安全ブロック体１０の全体形状は、勿論、Ｘ＝Ｙ＝Ｚからなる立方体形状であってもよい。またＸ＝Ｙ＞Ｚのような正方形と長方形とからなる直角六面体であってもよい。
その他、各２面のなす角が直角以外の角度を有する六面体も本考案の六面体形状に含まれるものとする。
【００１８】
図１に示す怪我防止安全ブロック体１０では、全ての角部１１ａ、１１ｂにＲ面取りを施している。なおＲ面取りとは、角部を曲面で面取りすることを言うものとする。
前記曲面は、通常は円弧状曲面である。が、必ずしも厳密な円弧である必要はない。また３面が交わる角部におけるＲ面取りは、球面状曲面となるが、必ずしも厳密な球面である必要はない。
即ち、隣接する３面が交わる計８箇所の点からなる角部１１ａには、球面状のＲ面取りＲａを施し、隣接する２面が交わる計１２箇所の線からなる角部１１ｂには、円弧状のＲ面取りＲｂを施している。
勿論、Ｒ面取りは、前記３面が交わる全ての角部１１ａにのみ施すようにしてもよい。３面が交わる角部１１ａは点状に尖るので、Ｒ面取りＲａは怪我防止のために重要である。
またＲ面取りは、前記２面が交わる全ての角部１１ｂにのみ施すようにしてもよい。２面が交わる角部１１ｂは線状に尖るので、前記３面が交わる角部１１ａの点状の尖りよりも危険度は劣るが、やはり怪我防止のためにＲ面取りＲｂをすることが重要である。２面が交わる角部１１ｂの面取りを行うことで、３面が交わる角部１１ａをわざわざ厳密に且つ特別に取り上げてＲ面取りＲａをしなくとも、少なくとも点状の尖りから線状或いは線状以上に緩慢で丸みをもった状態にすることができる。
またＲ面取りは、２面が交わる１２本の線状の角部１１ｂのうちの１乃至複数本に限って、Ｒ面取りＲｂを施すようにし、残りの角部にはＲ面取りを施さない構成とすることもできる。
ブロック体を複数個用いて階段や塀を構成する際において、得られた構成体の縁部或いは端部となる部分が角部として尖っている場合には怪我をし易い。従って構成体において尖った角部はＲ面取りが必要となる。しかし、それら尖った角部を構成しない部分には、ブロック体自体に例え尖った角部があっても、その角部のＲ面取りをする必要はない。
よって本考案のブロック体１０は、存在する角部の全てではなく、その一部にＲ面取りを施したものとすることができる。例えば図１の（Ａ）や（Ｂ）や（Ｃ）にそれぞれ示される４辺のうちの何れか１辺、或いは何れか２辺、或いは何れか３辺など、Ｒ面取りが必要な箇所だけを面取りしたブロック体とすることができる。
【００１９】
前記怪我防止安全ブロック体１０はコンクリート製とする。が、レンガ製であってもよい。更にブロック体による怪我を防止する観点からは、他の剛性を備えた建築資材を構成材料としてもよい。このような剛性を備えた建築資材を用いたものも本考案の怪我防止安全ブロック体の範疇に入る。
【００２０】
怪我防止安全ブロック体１０は、形成される全ての角部を含む全体が型成形により成形されている。従って本考案の怪我防止安全ブロック体１０は、Ｒ面取り（Ｒａ、Ｒｂ）の表面が、グラインダー等の削り取り手段を用いて削り取った場合とは大きく異なり、ブロック体の他の部分との間で地肌の相違がない、連続した、均質で綺麗な地肌での仕上げとなる。
型形成には、例えば金型を用いることができる。金型は、当然ながら、Ｒ面取り部分を含むブロック体の全体の空隙が構成される。この空隙にコンクリート材が充填されることで、Ｒ面取り部分を含むブロック体の全体が同時に成形される。
本考案の怪我防止安全ブロック体１０は、型成形であるので、削り取り作業の際の騒音や削り屑の問題が生じず、また大量生産を効率よく行うことができ、コスト低減や環境問題も解消できる。
【００２１】
怪我防止安全ブロック体１０には、１乃至複数の空洞１２が設けられている。この空洞１２は、ブロック体１０の軽量化、材料節約、鉄筋等の挿入、その他の要望により形成されるものである。空洞１２の大きさや数は特に限定されるものではないが、ブロック体１０の機械的強度を考慮して、その大きさ、数、位置を決定することができる。
【００２２】
図１に示すブロック体１０は、具体的な寸法として、長径Ｘ＝３９０ｍｍ、短径Ｙ＝１９０ｍｍとし、厚みＺを８０ｍｍ、１００ｍｍ、１２０ｍｍ、１６０ｍｍ等の複数種類としている。また１０ｍｍのＲ面取りを施している。１０ｍｍのＲ面取りとは、角部の縁からの距離が１０ｍｍのところから面取りを行っているという意味である。面取りを１０ｍｍとすることで、角部に当たることによる怪我を防止乃至抑制する効果を確保することができる。１０ｍｍ未満であると怪我抑制効果が低減する。また面取り寸法を１０ｍｍとすることで、例えば厚みが１００ｍｍのブロック体１０を積み重ねてセメント等で接合固定する場合において、片側を面取りしたとしても９０ｍｍの接合面積を確保することができるので、接合固定を確実に行うことができる。
勿論、前記Ｒ面取りの寸法は１０ｍｍに限定されるものではなく、角部の安全と接合面積を考慮して、１０〜１５ｍｍ程度の寸法とすることができる。
同様に、前記長径Ｘ、短径Ｙ、厚みＺの各寸法は、人による積み上げ作業に適した寸法、重さを考慮したものであるが、必ずしも既述した寸法に限定されるものではない。
【００２３】
図２に本考案の怪我防止安全ブロック体の他の実施形態を示す。本実施形態では、怪我防止安全ブロック体２０の角部２１の面取り処理を、既述したＲ面取りの代わりにＣ面取りしたものである。Ｒ面取りをＣ面取りとした以外は全て、既述のＲ面取りに関して上述した構成と同じである。
Ｃ面取りとは、角部を平面で面取りすることを言うものとする。面取りの角度は通常４５度とするが、４５度丁度である必要はない。
図２において、怪我防止安全ブロック体２０の各部は、図１に示す怪我防止安全ブロック体１０の各部が１０の位で表しているのに対し２０の位で表している。１の位の数値は、両ブロック体１０、２０において同じ部材、要素は同じ数値で表している。
即ち、怪我防止安全ブロック体２０は長径Ｘ、短径Ｙ、厚みＺからなる直方体形状、立方体形状を含む六面体形状からなる。角部は３面が交わる角部２１ａと２面が交わる角部２１ｂとからなる。Ｃ面取りは３面が交わる角部のＣ面取りＣａと２面が交わる角部のＣ面取りＣｂとからなる。また空洞２２を備えている。
【００２４】
図３は、図１のＲ面取りを施した怪我防止安全ブロック体１０を複数個用い、この複数個を組み合わせてなる階段３０を示している。勿論、代わりに図２に示すＣ面取りを施した怪我防止安全ブロック体２０を用いてもよい。
階段３０は、怪我防止安全ブロック体１０を上下方向と水平方向に重ねて、接触面をセメント等で接合固定することで構成される。図３において、階段３０は、高さが３段で幅が１ブロック体相当分としたものが示されているが、これに限定されるものではない。
前記階段３０においては、その外形のうち、地面に接する底面側の角部を除き、上面と側面との間に生じる角部１１ａ、１１ｂが、怪我の発生要因となるので、少なくともＲ面取りＲａ、Ｒｂされている必要がある。従って本案の怪我防止安全ブロック体１０は、そのようなＲ面取りが必要な箇所にだけ用いることができる。勿論、便宜上、階段３０の全てを本案の怪我防止安全ブロック体１０で構成することもできる。以上のことはＣ面取りを備えた怪我防止安全ブロック体２０においても全く同様である。
【産業上の利用可能性】
【００２５】
本考案の怪我防止安全ブロック体とそれを用いた階段は、建築分野或いは建築資材分野において有用であり、産業上の利用可能性が大きい。
【符号の説明】
【００２６】
１０      怪我防止安全ブロック体
１１ａ    ３面が交わる角部
１１ｂ    ２面が交わる角部
１２      空洞
Ｒａ      ３面が交わる角部のＲ面取り
Ｒｂ      ２面が交わる角部のＲ面取り
２０      怪我防止安全ブロック体
２１ａ    ３面が交わる角部
２１ｂ    ２面が交わる角部
２２      空洞
Ｃａ      ３面が交わる角部のＣ面取り
Ｃｂ      ２面が交わる角部のＣ面取り
３０      階段
Ｘ        長径
Ｙ        短径
Ｚ        厚み
【図１】
0003175550.tif 000003
【図２】
0003175550.tif 000004
【図３】
0003175550.tif 000005